(57)【特許請求の範囲】
【請求項１】
両側面を有するノーズ部を備えた細長いハンマーヘッドと、該ノーズ部を囲むフェルトカバーであって、該フェルトカバーのテール部が前記ノーズ部の前記両側面に固定されるフェルトカバーとを有するピアノハンマーであって、
前記フェルトカバーは、略楕円形の周囲面を有し、ピアノの弦を打つ領域である前記ハンマーのトップから、前後に、「赤道」と呼ばれる、該ピアノハンマーの前面と後面との間が最も広い所を経て、前記テール部の末端部まで延在し、
前記フェルトカバーの前記周囲面上には、細長整音テープが配置され、
該細長整音テープは、前記ピアノの弦を打つ領域から、該ピアノハンマーの前面および後面へと、前記赤道を越えるところまで延在し、片面一面あるいは片面の両端部のみに熱可融性接着剤が薄くコーティングされた合成不織布材料で構成され、該細長整音テープの両端部においてのみ前記フェルトカバーに熱によって接着されることを特徴とするピアノハンマー。
【請求項２】
前記整音テープの幅は、前記フェルトカバーの幅に略等しい、請求項１に記載のピアノハンマー。
【請求項３】
前記整音テープは柔らかく滑らかな材質である、請求項１に記載のピアノハンマー。
【請求項４】
前記フェルトカバーは、前記テール部が前記ノーズ部にステープルで固定されており、前記整音テープは、前記ピアノの弦を打つ領域から、該ピアノハンマーの前面および後面へと、前記ステープルの付近まで延在する、請求項１に記載のピアノハンマー。
【請求項５】
前記整音テープは、前記ハンマーの前後の前記ステープルを覆う長さである、請求項４に記載のピアノハンマー。
【請求項６】
前記整音テープは単層又は２重層のいずれか一方である、請求項１に記載のピアノハンマー。
【請求項７】
前記２重層の整音テープは、ハンマー上に既に取り付けられた第１の層の上により薄い第２の層を重ねて配置したもの、あるいは予め２重層構造とされたもののいずれか一方を用いる、請求項６に記載のピアノハンマー。
【請求項８】
前記整音テープは、該テープの各端部のみに配置される熱可融性接着剤により前記フェルトカバーに取り付けられる、請求項６に記載のピアノハンマー。
【請求項９】
前記整音テープは、熱可融性接着剤により前記フェルトカバーに取り付けられ、前記熱可融性接着剤は、前記整音テープの片面一面に設けられているが、前記整音テープの両端部のみが前記フェルトカバーに熱で接着される、請求項６に記載のピアノハンマー。
【請求項１０】
前記整音テープの長さは２〜４インチであり、前記ハンマーの前面および後面の前記赤道よりも下で前記ハンマーに熱で接着される、請求項１に記載のピアノハンマー。
【発明の詳細な説明】
【技術分野】
【０００１】
本発明は、グランドピアノ（「ピアノフォルテ」）であれ、アップライトピアノであれ、いかなるタイプのピアノの機械的可動部品として使用される種類の改良されたピアノハンマーに関する。特に、本発明は、音質の向上、ダイナミックレンジの向上、及びハンマー耐久性の向上に繋がるピアノハンマーの打弦表面上の新規のカバーに関する。
【背景技術】
【０００２】
ピアノにおける機械的可動部品の極めて重要な機械構成部品の１つは、ピアノの１本又は複数本の弦を打つハンマーである。ピアノの各音の音質はハンマーの構造及び密度にかなり大きく依存するため、ハンマー、特にその接触面を改良する多くの試みがなされてきた。
【０００３】
ピアノハンマーは従来、普通は楔形状のノーズ部を有する、普通は木製の細長い「ハンマーヘッド」を含む。フェルトカバーがノーズ部を囲み、フェルトカバーのテール部が、普通は接着剤及び補強ステープルを使用してノーズ部の両側面に固定される。このようなフェルトカバーは、ピアノの弦を打つ領域であるハンマーの上部から、そしてこの領域からハンマーのフロントとバックとの間の最も幅が広いところ（以下、ハンマーの「赤道」と呼ぶ）を通ってテール部の末端に延在する略楕円形の周囲面を有する。（ハンマーの「トップ」、「フロント」、及び「バック」がグランドピアノに設置されるハンマーの各側を指すことが理解されよう）。この用語を以下において使用するが、ハンマーはアップライトピアノに取り付けられる場合もあり、この場合、「トップ」はハンマーの「フロント」になり、「フロント」及び「バック」はそれぞれ「ボトム」及び「トップ」になる）。時間の経過に伴い、フェルトカバーは一般に、トップ領域において、連続使用下でピアノの音を損なう程度まで摩耗し、且つ／又は圧縮されて硬化する。このため、摩耗及び他のダメージに対して高い耐性を有するフェルトカバー材料を見つける試みがなされてきた。
【０００４】
Ｊｏｈｎｓｏｎに付与された米国特許公報第３，４８７，４２９号には、羊毛繊維と熱可塑性繊維との混合物で構成される打弦部材を形成するフェルトカバーを有するピアノハンマーが開示されている。このフェルトカバーは耐久性があると言え、ピアノの異なる音域に「制御された密度」で形成することができる。
【０００５】
Ｈａｙａｓｈｉｄａに付与された米国特許公報第４，１３５，４３０号には、木製ベース、打弦ヘッド、及び木製ベースの端部を囲み、打弦ヘッドを覆う外部「保護カバー」を備える簡易化されたピアノハンマーが開示されている。打弦ヘッドは、ポリウレタン等の弾性材料で作られる比較的薄い条片である。保護カバーは、「鹿皮又は人工皮革等の保護材料」で作られる。
【０００６】
Ｌｏｍｂｉｎｏに付与された米国特許公報第５，１２５，３１０号には、「ノーズ部」を有する細長い木製ヘッド及びノーズ部周辺に延在する平坦な本体を備えるピアノハンマーが教示されている。フェルト本体のテール部は、ノーズ部の側面に固定される。フェルト本体は、１００％羊毛で作られる「アウターフェルト」及び「アンダーフェルト」で構成される。この特許は、アウターフェルトの両側が、アクリル共重合体を含む水溶液に含浸される製造方法を対象としている。
【発明の開示】
【発明が解決しようとする課題】
【０００７】
本発明の主な目的は、従来技術のピアノハンマーよりも高耐久性且つ長寿命であるのと同時に、ピアノの音質の向上及びダイナミックレンジの増大をもたらす改良されたピアノハンマーを提供することで、本発明者の以前の特許である米国特許第７，２６２，３５１号を改良することである。本発明は、毎年のメンテナンス費を劇的に低減しながら、ピアノ演奏者及びピアノ所有者の毎日の頭痛の種／懸案事項の多くに対する比較的単純な解決策を提供する。
【課題を解決するための手段】
【０００８】
この目的ならびに以下の考察から明らかになる他の目的は、フェルトカバーの周囲面の、少なくともピアノの弦を打つ領域に配置される材料の細長い条片を、従来のフェルトでカバーされたピアノハンマーに提供することにより、本発明により達成される。この条片は、以下において「整音テープ（ｖｏｉｃｉｎｇ ｔａｐｅ）」と呼ばれることもあり、合成不織布材料、好ましくはノースカロライナ州ダラム（Ｄｕｒｈａｍ）に所在のＦｒｅｕｄｅｎｂｅｒｇ Ｎｏｎｗｏｖｅｎｓ，ＬＰ製造販売の材料であり、登録商標名「Ｐｅｌｌｏｎ」として販売される種類の合成不織布材料で構成される。これは微細な熱可塑性糸で形成され、この熱可塑性糸で不織布が作られる。
【０００９】
整音テープは、（１）単層の薄い、中薄手の、又は中厚手の布、（２）第１の層を、より薄い第２の層で覆ったもの、又は（３）あらかじめ作成された２層構造のいずれかとして作られる。２つの層が使用される場合、２つの層は新規の方法で共に接着されて、複合二重層条片又は一体構造になり、次に、これがピアノハンマーに適用される。
【００１０】
好ましくは、新規の細長条片は、ピアノの弦を打つ領域であるハンマーのトップから、この領域から下向きに前後に延在し、本明細書ではハンマーの「赤道」と呼ばれる最も幅の広い所を経て、前記テール部の末端部まで延在する。条片の両端部は、条片の端部エリアに配置される熱可融性接着剤によりフェルトカバーに取り付けられる。これらの各接着エリアは、条片の一端部から少なくとも短い距離にわたって条片の中央に向かって延びており、この距離は少なくとも条片の幅におおよそ等しい。
【００１１】
フェルトカバーに取り付けられると、細長条片の接着エリアは、ハンマーの赤道と両側のカバーの底部末端部の、木製ノーズ部が露出されたままであるポイントとの間に配置される。フェルトカバーを所定位置に保持するステープルを有するハンマーの場合、細長条片は、好ましくは、ステープルを超えて短い距離にわたって延在して、ステープルを覆う。好ましくは、細長条片の幅は、フェルトカバーの幅に略等しい。
【００１２】
上述したように位置決めされ、取り付けられると、細長条片又は２重層条片の長さは、ピアノの低音部の最大ハンマーではおおよそ４インチであり、その長さから徐々に又は段々と小さくなって高音部の最小ハンマーではおおよそ２インチである。
【００１３】
Ｐｅｌｌｏｎ材料は、薄手、中程度の厚さ、厚手、硬い材質、柔らかい材質という多くの異なる等級で市販されており、熱可融性接着剤がすでに片側にコーティングされているものもあれば、されていないものもある。好ましくは、細長条片のおおよその厚さが非圧縮時に０．０１５インチ−０．０２５インチの範囲内であり、圧縮時に０．００４インチ−０．００７インチの範囲内であるように、中薄手又は中程度の厚さが使用される。また好ましくは、柔らかい、中程度の柔らかさ、及び／又は滑らかな材質が使用される。
【００１４】
接着剤コーティングが片面に均等に噴霧された（したがって、条片の両端部のみならず条片の全長がコーティングされる）アイロン可融性布が使用される場合、熱を加えるのは各条片の両端部のみであるべきである。使用すると決めた不織布が可融性接着剤コーティングを有していない場合、アイロン可融性接着剤を条片の両端部においてテフロン（Ｔｅｆｌｏｎ）コーティング表面上で追加することができる（これは、不織布を条片に切断する前に行われるべきである）。
【００１５】
整音テープがおおよそどの程度の長さであるべきかについての説明に関して、ステープルが覆われるのは単に美観のためである。テープは、ステープルが見える場合でも全く同様に機能する。重要なポイントは、条片が、接着剤がハンマーの最も厚い部分である赤道より上で終わらないように十分に長いことである。このようにすれば、接着剤は音質に影響しない。
【００１６】
不織布条片をハンマーヘッドに接着することと比較して、整音テープをアイロンで接着するプロセスは、はるかに容易且つ高速であり（ハンマー１個当たりでたった数秒）、取り外す、又は交換する必要がある際により容易かつより綺麗である。本発明者の先行特許（米国特許第７，２６２，３５１号）では、白色グルーの使用を勧めたが、これは、接着剤が固まるまでテープで留める必要がある。接着剤の量は不熟練者には制御が困難であり、布は、湿っぽい気候だと接着剤が乾燥する前にずれる傾向がある。条片はハンマーヘッドの周囲に適度に締まっている必要があるため、これは理想的ではない。
【００１７】
本発明の完全な理解のために、これより、添付図面に示す本発明の好ましい実施形態の以下の詳細な説明を参照すべきである。
【発明を実施するための最良の形態】
【００１８】
本発明の好ましい実施形態を図面の図を参照してこれより説明する。同一要素は同じ参照番号で示される。
【００１９】
図１−図４は、本発明者の以前の特許である米国特許公報第７，２６２，３５１号に開示され特許請求される本発明者による以前の発明を示し、米国特許公報第７，２６２，３５１号の内容全体を参照により本明細書に援用する。図１に示すように、ノーズ部１４と、接着剤及びステープルでノーズ部に固定されるフェルトカバー１６とを有する細長い木製ハンマーヘッド１２を備える従来のピアノハンマー１０。フェルトカバーは略楕円形の周囲面を有する。周知のように、ピアノハンマーのフェルトカバーのトップ表面領域がピアノの弦（１本又は複数のピアノ線）を打ち、それにより楽音が生じる。
【００２０】
細長条件又は「整音テープ」１８が、フェルトカバーの周囲面の、少なくともピアノの弦を打つ領域に配置される。この条片は、柔らかく滑らかな材質の合成不織布材料、好ましくは中薄手又は中程度の重さのＰｅｌｌｏｎで作られる。
【００２１】
図１に見ることができるように、整音テープの幅は、ハンマーのフェルトカバーの幅に略等しい。
【００２２】
本発明者の以前の発明によれば、整音テープ１８は、条片の両端部に適用された接着剤、好ましくはＥｌｍｅｒの白色グルー等の白色グルーによりフェルトカバーに固定される。このような接着剤は整音テープを保持するのに十分な強度を有するが、後でテープを取り外して交換できるようなものである。ピアノの弦を打つハンマーのトップ付近の領域では、テープとハンマーのフェルトカバーとの間に接着剤は適用されない。
【００２３】
図２及び図３は、図１のハンマーヘッドを上面図及び平面図でそれぞれ示す。図３に最もよく見られるように、ハンマーヘッド１２のノーズ部１４は、通常は木製であり、両側面１５を有する。フェルトカバー１６のテール部１７は、接着剤と、大半の場合にはステープル２０とによりこれら両側面に固定される。図３において破線で示すように、このステープルはフェルトカバー及びノーズ部の内部を貫通する。好ましくは、フェルトカバー１６のテール部１７付近の領域にアクリル等の硬化材料を含浸して、ハンマー１２への接着を向上させるとともに、フォルテ又はフォルテシモを演奏時にハンマーに追加の支持及び強度を与える。木製ハンマーヘッド１２は、ピアノの機械的可動部品として木製シャンク２０により担持される。
【００２４】
図３に示す実施形態では、細長条片すなわち整音テープ１８が、フェルトカバーの周囲面の周りに、ハンマーのフロント面からバック面まで延在して、ピアノの弦を打つトップ領域を覆う。テープ１８が、ハンマーをその最も幅の広いところで貫通するハンマーの「赤道」にある線２２を超えて延在することが好ましい。テープとフェルトカバーとの間の接着剤を、ハンマーの打弦領域から離れて、赤道よりも「下」に延びるテープのエリアに制限することも好ましい。このようにすれば、フェルトカバー及び整音テープのみが打弦に関わるため、接着剤はピアノの音に影響しない。
【００２５】
ピアノの低音部のハンマーの場合、整音テープ１８は、好ましくは、ステープル２０をわずかに超えて下方に延在し、それによってステープルを覆う。ピアノの中音範囲では、整音テープは、高音へと進むにつれて、ハンマーにおいてより下へと延びていく。高音領域では、整音テープは、ハンマー上のフェルトカバーの周囲を完全に覆うことができる。
【００２６】
ハンマーのサイズ及び形状に応じて、細長条片又は整音テープ１８の長さは、好ましくは、＃１ハンマーではおよそ９−１０ｃｍ（４インチ）の範囲であり、徐々に低減して＃８８ハンマーではおよそ５−６ｃｍ（２インチ）であり、これらの中間にある整音テープ１８の長さはハンマー毎に低減していく。細長条片の厚さは、好ましくは、圧縮されていない時は０．０１５インチ−０．０２５インチの範囲であり、圧縮されている時は０．００４インチ−０．００７インチの範囲である。
【００２７】
図４は、整音テープ１８を平面図で示す。接着剤が適用されるエリア２４は、テープの各端部から、テープの中央に向かってテープの幅に略等しい距離にわたって延在する。
【００２８】
ピアノハンマーへの整音テープの適用は、ピアノが新しいか古いかに関係なく、ピアノの耐用期間内であればいつでも行うことができる。古いピアノの場合、整音テープをハンマーに適用する前に、ピアノの弦を打つフェルトカバーのトップ領域が、必要に応じてヤスリがけされて滑らかにされ、アイロンがけされて、ハンマーのそれまでの使用中に作られたいかなる溝等も取り除かれる。その後、接着剤が図４の整音テープ１８のエリア２４に適用され、テープをハンマーのフェルトカバー１６の周囲面の周りにきつく巻くことができる。整音テープ１８は、接着剤、好ましくはＥｌｍｅｒの白色グルーが完全に硬化するまで、スコッチ（Ｓｃｏｔｃｈ）商標テープ又はマスキングテープ等の短いテープ条片を使用して各端部に押さえつけられる。ピアノの音をより小さくする必要がある場合、部屋の音響及び／又は所有者の音楽的好みに応じて、整音テープの第２の層を第１の整音テープの層の上に追加することが可能である。この整音テープの層化は、単層のより厚いテープを使用するよりも好ましいことが分かっている。
【００２９】
細長条片又は「整音テープ」をピアノハンマーに適用することにより、ダイナミックレンジをｐｐｐｐからｆｆｆｆに増大すると同時に、ピアノが大幅に小音化され、音量が−１０ｄＢから−３０ｄＢ低減し、ピアノがよりピアノ演奏者のタッチに対してより応答的且つ敏感になることが分かっている。整音テープはどのようなピアノにも適用することが可能であるが、その結果として得られる小音化は、大規模コンサートホール、雑音の多い環境、又は屋外環境にあるピアノに対しては常に望ましい又は適する訳ではないかもしれない。
【００３０】
さらに、整音テープをピアノの各ハンマーに適用すると、これはすぐに音の均一化に繋がり、整音を常時必要としなくなる。実際に、テープはピアノに「永久的な整音」を提供する。さらに、整音テープは、古い又は不良な品質の弦又はハンマーを交換する必要なく、ピアノの音質を向上させ、長期間にわたってピアノハンマーを保護する。整音テープはまた、ピアノの不完全性にもかかわらず、ピアノのサウンドをより「心地よく」もする。換言すれば、本発明は、アーティストが毎日（一生を通じて）直面している多くの問題に対して実用的で経済的な解決策を提供する。
【００３１】
本発明による改良は、白色グルーの使用に代えて、熱可融性の接着剤を用いて、布をハンマーヘッドにアイロン又は熱により接着される。整音テープは、好ましくは、テープの片面にコーティングされた熱可融性接着剤によりハンマーのフェルトカバーに取り付けられる。これは、テープを適用するプロセスをはるかに容易且つ高速にし（ハンマー１個当たりたった数秒）、取り外す又は交換する際により容易且つ綺麗である。本発明者の以前の発明は白色グルーを使用したが、これは、接着剤が固まるまでテープで留めておく必要があった。接着剤の量は不熟練者には制御が困難であり、布は、湿っぽい気候だと接着剤が乾燥する前にずれる傾向がある。条片はハンマーヘッドの周囲に適度に締まっている必要があるため、これは理想的ではない。
【００３２】
本発明による整音テープは、（１）単層の薄い、中薄手の、又は中厚手の布、（２）第１の層を、より薄い第２の層で覆ったもの、又は（３）あらかじめ作成された２層構造のいずれかとして作られる。整音テープは、合成不織布材料、好ましくは登録商標名「Ｐｅｌｌｏｎ」として販売される種類の合成不織布材料で構成される。２つの層が使用される場合、２つの層は新規の方法で共に接着されて、複合二重層条片又は一体構造になり、次に、これがピアノハンマーに適用される。
【００３３】
図５は、３０として示す新規の整音テープを有するピアノハンマーを示す。整音テープは、図示のように、テープ３２及び３４という２層からなり、各テープの片面にはホットアイロン可融性コーティングコーティングされている。整音テープは２層として示されるが、単層の整音テープを上述したように使用することも可能である。２層テープを図６に示す。２層３２及び３４は、より厚くより硬い種類の内層３４上にあるより薄くより柔らかい不織布の外層３２からなる。別法として、中程度の厚さの柔らかい不織布の２層３２及び３４を使用し、第１の層３４を合成硬化剤で処理してから、第１の層３４を、処理なしの第２の層３２の下に配置することもできる。したがって、未処理の第２の層３２が露出するトップ層である。
【００３４】
一般に、２重層の適用はハンマーに追加の耐久性を与え、演奏者が単層適用の場合よりもさらに広い範囲の音色及び音楽的な機微を制御できるようにする。
【００３５】
整音テープに適した柔らかく薄手から中厚手の不織布は、Ｐｅｌｌｏｎ（合成不織布）を製造する企業から得ることができる。上述したように、これらの布片の片面には、熱可融性接着剤層３６がコーティングされる。テープ又は層３２及び３４は、トップテープ又はトップ層のコーティングされた熱可融性接着剤層３６がテープ３２とテープ３４との間にある状態で、一方の層３２が他方の層３４の上に合わせて置かれる。コーティングされた熱可融性層３６は、図６に示すように、下のテープ３４の底面に露出する。下層３４の底面コーティング３６が影響を受けないように、両テープの両端部４２は、図６においてハッチングして示すように、補助物としてテフロン（登録商標）（Ｔｅｆｌｏｎ）表面を使用することにより３８において共にシーリングされる（もちろん、これは不織布を条片に切断する前に行われるべきである）。そして、結合された、すなわち複合テープ又は層３２及び３４は、接着された両端部３８の間にある両テープの中央部４０が自由な状態である、すなわち一緒に接着されない状態で、まず下層３４のコーティング層３６の端部４２をフェルトカバー１６の一端部に熱でシーリングし、それから、フェルトへの良好な密着を保証するようにきつく引っ張りながら、結合又は複合テープの他端部４２をフェルトカバー１６に熱でシーリングすることにより、ハンマーのフェルトカバー１６に固定される。上述したように、テープ３２及び３４の各部分４０は、フェルトカバー１６に固定されるとき自由であり、一緒に接着されない。
【００３６】
どの方法（単層又は２重層）及びどの厚さの布を用いることが、与えられた状況にとって最良であるかを判断するには、最も敏感で経験のある耳が必要とされる。部屋の音響、ピアノ演奏者のニーズ及び好み、聴力レベル、及び楽器自体の限界から判断して、それらは、個別に決定しなければならない。
【００３７】
最初に整音テープを取り付けてから最初の５０時間程度の間、整音テープは、ピアノが演奏されているときに圧縮され、音はいくらか明るくなり、テープがその小音効果の約「１／３」が失われた感覚を与える。（約５０時間：各音で少なくとも１０００回のフォルテシモの打鍵に相当する）。小量の純粋なアセトンを整音テープ上に適用することにより、この設定期間を１／１０に短縮することができる。
【００３８】
２層で構成される整音テープを使用する場合、第２の層を固定する前に、第１の層の各ハンマー打弦表面を小量の硬化剤で処理すべきである。Ｓｃｈａｆｆ Ｐｉａｎｏ Ｓｕｐｐｌｙ Ｃｏ．により販売される補強剤等のラッカーの含まれていないアセトンベースの補強剤をアセトンで（５−１０倍に）さらに希釈することが、この目的のために適しており、うまく働く。音をわずかに明るくする必要がある場合、同じ解決策を単層整音テープにわたって使用することができるときもある。すべての場合において、すべて又はいくつかの音をわずかに柔らかくする必要がある場合、整音テープを貫通して打弦表面下のフェルトを優しく針で刺してもよい（従来の整音方法）。
【００３９】
これら及び他の様々な理由により、工場取り付けの場合には単層整音テープの使用が推奨され、大半の用途において、整音テープのより薄い層を整音テープのより厚い第１の層の上に使用することが、予め２重層構造とされたものよりも安全である。予め２重層構造とされたものは非常に固いハンマーに適するが、真に経験のある人間によってのみ使用されるべきである。
【００４０】
こうして、得ようとするすべての目的及び利点を満たす、新規のピアノハンマーを図示し説明した。しかし、多くの変更、改変、変形、並びに本発明の他の使用法及び応用例が、本発明の好ましい実施形態を開示する本明細書及び添付の図面を検討した後に当業者に明らかになろう。本発明の精神及び範囲から逸脱しないこのような変更、改変、変形、並びに他の使用法及び応用例は、本発明に包含されるものとみなされ、本発明は添付の特許請求の範囲によってのみ制限されるべきである。
【図面の簡単な説明】
【００４１】
【図１】本発明者の以前の発明の１つによる整音テープが適用された従来技術によるピアノハンマーの斜視図である。
【図２】以前の発明による整音テープを有する従来技術によるピアノハンマーの上面図である。
【図３】以前の発明による従来技術によるピアノハンマーの側面図である。
【図４】以前の発明による整音テープの平面図である。
【図５】本発明による新規組成の整音テープが適用された新規のピアノハンマーの斜視図である。
【図６】ピアノハンマーに適用される前の新規組成の整音テープ構造の側面図である。
【符号の説明】
【００４２】
１０ピアノハンマー
１２ハンマーヘッド
１４ノーズ部
１５側面
１６フェルトカバー
１７テール部
１８整音テープ
２０ステープル
２０シャンク
２２赤道
２４接着剤が適用されるエリア
３０新規の整音テープ
３２、３４テープ
３６熱可融性接着剤層
４２テープの端部
３８接着された端部
４０テープの中央部
【図１】
0004862019.tif 000002
【図２】
0004862019.tif 000003
【図３】
0004862019.tif 000004
【図４】
0004862019.tif 000005
【図５】
0004862019.tif 000006
【図６】
0004862019.tif 000007